(57)【要約】膨張式物品に固定されるように構成されたガス放出装置が開示される。この装置は、市販のガスボンベであり得る容器と、塩分センサと、エンドキャップとを備える。塩分センサは、容器から膨張ガスを放出させて物品を膨張させるように作用する電気点火式プライマを操作する。エンドキャップは、円筒状の貫通孔を有し、貫通孔によって回転Ｄリングを受け入れる。Ｄリングは、膨張式物品のバルブに適合するような寸法を有する。Ｄリングは、一連の周辺開口を有し、開口がスロットに選択的に整合されることにより、容器とバルブとの間に流体通路を形成することが可能である。Ｄリングによって、膨張式物品と容器との間で空気圧カップリングを維持しながら、この装置を、いくつかの異なる角度位置の間で回転させることが可能である。
2013538330.tif 000002
【特許請求の範囲】
【請求項１】
膨張式物品を着用した乗組員と連携して用いられる水作動式ガス放出システムであって、
前記膨張式物品に流体連通しているシュレーダバルブと、
前端部および後端部を有する容器であって、所定量の膨張ガスを貯蔵し、該容器の前記前端部にはダイヤフラムが設けられ、前記ダイヤフラムに近接して刺しピンが設けられた前記容器と、
プライマに接続された塩分センサであって、所定レベルの塩分の検出に応じて前記プライマを始動させるように構成されており、前記プライマは始動時に前記ダイヤフラムに穿孔して前記膨張ガスの放出を可能にする前記塩分センサと、
前記容器の前記前端部に取り付けられ、カバーおよびスカートを有するエンドキャップであって、前記カバー内に円形開口部が形成されており、スロットによって前記円形開口部および前記ダイヤフラムの間に流体通路を形成する前記エンドキャップと、
前記エンドキャップに枢動可能に固定されたレバーであって、前記刺しピンが該レバーの末端に接続されており、該レバーを手動で回転させることにより、前記ダイヤフラムに穿孔して前記膨張ガスの放出を可能にする前記レバーと、
前記円形開口部内に回転可能に配置されたリングであって、前記シュレーダバルブ上に適合する寸法を有するＤ字形の内周を備え、該リングの周囲を貫通する一連の開口が形成されており、前記開口が前記スロットに整合するように構成され、前記ダイヤフラムおよび前記シュレーダバルブの間に流体経路を維持するとともに、装置の方向を変更可能である前記リングとを備えるシステム。
【請求項２】
膨張式物品と連携して用いられる水作動式ガス放出装置であって、前記膨張式物品はバルブステムを有し、該装置は、
前端部および後端部を有する膨張ガス用の容器と、
カバー、前記カバー内に形成された開口部、および前記開口部と前記容器との間に流体通路を形成するスロットを有するエンドキャップと、
前記開口部内に回転可能に配置されたリングであって、前記バルブステム上に適合する寸法を有する内周を備え、該リングの周囲を貫通する一連の開口が形成され、前記開口は前記スロットに整合するように構成された前記リングとを備える装置。
【請求項３】
前記膨張ガスを放出可能にするように、手動で前記容器を破裂させるための手段をさらに備える請求項２に記載の装置。
【請求項４】
手動で前記容器を破裂させるための前記手段は、刺しピンを含む請求項３に記載の装置。
【請求項５】
前記膨張ガスを放出可能にするように、自動的に前記容器を破裂させるための手段をさらに備える請求項２に記載の装置。
【請求項６】
自動的に前記容器を破裂させるための前記手段は、刺しピンを作動させるために使用される塩分センサ、バッテリ、およびプライマを含む回路である請求項５に記載の装置。
【請求項７】
前記容器および前記バルブステムの間に流体経路を維持するとともに、当該装置の方向を変更可能である請求項２に記載の装置。
【請求項８】
前記バルブステムはシュレーダバルブであり、前記リングはＤ字形内部領域を有する請求項２に記載の装置。
【請求項９】
前記容器はＣＯ２キャニスタである請求項２に記載の装置。
【請求項１０】
前記カバー内の前記開口部は矩形状であり、前記矩形状の開口部内に固定される一連のＤ字形フィッティングをさらに備え、前記Ｄ字形フィッティング内に前記バルブステムを挿入することが可能である請求項２に記載の装置。
【請求項１１】
前記Ｄ字形フィッティングのうちの１つは、エラストマワッシャである請求項１０に記載の装置。
【請求項１２】
前記リングは、デテント機構を用いて、ハウジング内で４つの異なる角度方向の１つで固定される請求項１０に記載の装置。
【請求項１３】
ガス放出装置用のフィッティングであって、該フィッティングは、ガス放出装置を回転可能にバルブステムに相互連結し、該フィッティングは、
カバー、前記カバー内に形成された開口部、および前記開口部と前記ガス放出装置との間に流体通路を形成するスロットを有するエンドキャップと、
前記開口部内に回転可能に配置されたリングであって、前記バルブステム上に適合する寸法を有する内周を備え、該リングの周囲に貫通して一連の開口が形成され、開口は前記スロットに整合するように構成される前記リングとを備えるフィッティング。
【請求項１４】
前記一連の開口は相互に９０度の間隔をおいて配置される請求項１３に記載のフィッティング。
【請求項１５】
前記バルブステムはシュレーダバルブであり、前記リングはＤ字形の内周を有する請求項１３に記載のフィッティング。
【発明の詳細な説明】
【技術分野】
【０００１】
本発明は、ガス放出装置に関する。より具体的には、本発明は、真水および塩水のいずれによっても作動するガス放出装置であって、調整可能に浮揚装置に取り付けることができるガス放出装置に関するものである。
【背景技術】
【０００２】
浮揚装置を膨らませるために加圧ガス放出装置を用いることが、当技術分野で知られている。例えば、Ｍｉｌｌｅｒによる特許文献１、およびＪａｎｋｏｗｉａｋ等による特許文献２には、パイロットおよび船員による使用に適した救命胴衣などの浮揚装置を膨張させるための水作動式の加圧ガス放出装置について記載されており、これらの文献は、本願出願人に譲渡されたものであって、参照により本明細書に組み込まれる。
【０００３】
これらの装置は、水域周辺で勤務するパイロットまたは船員による着用が容易であるため良好に作用する。このため、万一パイロットが自身の航空機を放棄する必要が生じたとき、あるいは万一船員が船から転落したとき、この装置が使用可能であることが保証される。この場合、装置は、自動的に作動することにより浮揚装置を膨らませて、パイロットまたは船員の命を救うのに役立つ。また、救命ボートなど、加圧ガスによる膨張用装置に対応した浮揚装置が市場に出回っている。ところが、現在使用されている浮揚装置の多くは、１つのタイプの加圧ガス膨張用装置のみに対応するように特別に設計されたインタフェースを持つように構成されている。
【０００４】
同様に、１９９２年９月１５日にＮａａｂ等に付与された特許文献３には、電磁干渉（すなわち「ＥＭＩ：ＥｌｅｃｔｒｏＭａｇｎｅｔｉｃ  Ｉｎｔｅｒｆｅｒｅｎｃｅ」）に対する保護機能を備える水作動式加圧ガス放出装置について記載されており、この文献は、同じく本願出願人に譲渡されており、参照により本明細書に組み込まれる。ＥＭＩ保護を備える水作動式加圧ガス放出装置は、回路ケーシングとこれに関連付けられたプライマケーシングとの間のインタフェースに重なるスカートまたはステップを備えるように構成されている。ステップは、ＥＭＩ放射がインタフェースに沿って電気回路まで伝達される可能性を低減するように、両ケーシングの間のインタフェースをブロックする作用を果たす。また、バッテリ穴とエレクトロニクスキャビティとの間の通路にも、ＥＭＩフィルタが設けられており、これは、電子リード線と回路ケーシングとの間に電気的に接続されて、少なくとも１つのコンデンサによって、回路ケーシング内に漏出するＥＭＩ放射を接地に短絡させている。これらの改良により、米国政府の現行の基準に従った高度なＥＭＩ保護が装置にもたらされる。
【先行技術文献】
【特許文献】
【０００５】
【特許文献１】米国特許第４０２４４４０号明細書
【特許文献２】米国特許第４７６８１２８号明細書
【特許文献３】米国特許第５１４８３４６号明細書
【発明の概要】
【発明が解決しようとする課題】
【０００６】
前述の装置は、いずれも、それらの本来の目的では、良好に作用する。しかしながら、一般的な商業用途、軍事用途、および個人の娯楽用途の少なくともいずれか一つにおいて、低コストかつ軽量で、邪魔にならない水作動式加圧ガス放出装置であって、様々な浮揚装置、ベスト、救命ボートなどにインタフェースで連結されるガス放出装置が必要である。万一、人が命にかかわり得る水難状況に陥ることがあれば、この装置は、関連付けられた個人用浮揚装置を自動的に膨らませる必要があり、また、万一、装置が自動的に膨らませることに失敗することがあれば、あるいはユーザが水に入る前に手動で浮揚装置を膨らませたい場合に、この装置は、予備の膨張方法として作動させられる手動手段を提供する必要がある。さらには、この装置は、着用が容易であって、邪魔にならず、種々のインタフェースに適合するものである必要がある。これによって、加圧ガス放出装置は、常に着用されるので、万一、人が真水中または塩水中に沈むことがあれば、確実に使用が可能である。また、この装置は、高い信頼性を有し、低いコストで製造できる必要があり、これによって、それを、低コストかつ再使用不可能な水作動式加圧ガス放出装置として販売することが可能である。
【課題を解決するための手段】
【０００７】
本発明の水作動式加圧ガス放出装置は、様々なインタフェース手段で、標準的なあらゆる膨張式ライフベスト、ライフジャケット、救命ボートに適合し、また、従来の加圧ガスカートリッジまたは容器に接続するように適応させることが可能である。これによって、装置は、海底油井掘削装置上、作業船上、および造船所内で勤務する人々にとって、また、水域周辺での建設活動、漁業、趣味の舟遊び、およびレース活動にかかわる人々にとって、さらには水上または水辺での活動にかかわる子供、障害者、または高齢者にとって、特に有用である。また、加圧ガス放出装置は、この装置に連結されているレバーによって、手動で作動させることが可能である。装置が自動的に作動されると、刺しピンが前方にロックする。これによって、新しいシリンダが本体にねじ込まれる場合には、それが締め付けられるときに、前方にロックした刺しピンがシリンダに刺さることにより、装置の再利用を防止する。さらに、装置は、エンドキャップを通して視認可能な点火インジケータピンを備えている。この点火ピンは、装置が自動的に始動された後にのみ作動する。
【発明の効果】
【０００８】
本装置の利点は、あらゆる標準的な膨張式ライフベスト、ライフジャケット、または救命ボートに容易に適合させることができることにある。
本装置の別の利点は、様々に異なるインタフェースによって、従来の様々な加圧ガスカートリッジまたは容器に接続することができることにある。
【０００９】
本装置のさらに別の利点は、一般に自動車エアバッグに使用されている標準的な加圧ガスカートリッジに接続することができるということにある。
本発明のさらに別の利点は、回転リングによって膨張式装置に連結することが可能であることにより、本装置は、いくつかの異なる方向のいずれかで連結できることにあり、これによって、使用の容易さ、利便性、およびアクセプタビリティが高まるだけではなく、多くの異なるインタフェースによる幅広い有用性も強化される。
【００１０】
本発明のさらなる利点は、塩分センサに適合可能であることにあり、これによって、ガスカートリッジを、真水または塩水の存在下で作動させることが可能である。
これらの利点および他の利点は、導電性流体に浸漬されたときに自動的に加圧ガスボンベからガスを放出するように作動し、一般的な商業用および個人の娯楽用に適した装置によって提供される。特に、本発明の加圧ガス放出装置は、比較的小型であり、人の活動の邪魔にならない軽量構造を有する。このため、装置は、ベルトに装着するか、あるいは人の身体に携行品として固定することができ、そして、万一、その人が誤って真水または塩水の中に落下することがあれば、個人用浮揚装置を自動的に膨らませるように作用する。個人用浮揚装置は、ライフジャケット、ライフベスト、または個人用救命ボートであり得る。これによって、命にかかわり得る水難状況が回避される。
【００１１】
上記は、以下の本発明の詳細な説明をより良く理解することにより、本発明の当技術分野への貢献をより良く理解できるように、本発明のより適切かつ重要な特徴について、概説したものである。本発明の更なる特徴について以下で説明するが、それらは本発明の請求項の要旨をなすものである。開示される思想および具体的な実施形態は、本発明と同じ課題を解決するための他の構造を改良または設計するために容易に利用され得ることは、当業者であれば理解すべきである。また、そのような均等的な構成が、特許請求の範囲に記載される本発明の趣旨および範囲から逸脱しないことも、当業者であれば理解すべきである。
【００１２】
図面を参照して、以下の詳細な説明を読むことにより、本発明の特徴および目的がより良く理解される。
【図面の簡単な説明】
【００１３】
【図１】Ｄリングインサートを採用した膨張用装置の側面図である。
【図２】図１の膨張用装置の断面図である。
【図３】Ｄリングインサートを採用した膨張用装置の代替的実施形態である。
【図４】図３の代替的実施形態の分解図である。
【図５】Ｄ字形キー溝アセンブリを採用した別の代替的実施形態の透視図である。
【図６】図５のＤ字形キー溝アセンブリの詳細図である。
【発明を実施するための形態】
【００１４】
複数の図面において、同様の参照符号によって同様の部品が示される。
本発明は、膨張式物品に固定されるように構成されたガス放出装置に関するものである。この装置は、市販のガスボンベであり得る容器と、塩分センサと、エンドキャップとを備えている。塩分センサは、容器から膨張ガスを放出させて物品を膨張させるように作用する電気点火式プライマを操作する。エンドキャップは、円筒状の貫通孔を有し、貫通孔において回転Ｄリングを受け入れる。Ｄリングは、膨張式物品のバルブに適合するような寸法を有する。Ｄリングは、一連の周辺開口を有し、開口がスロットに選択的に整合されることにより、容器とバルブとの間に流体通路を形成することが可能である。Ｄリングによって、膨張式物品と容器との間で空気圧カップリングを維持しながら、この装置を、いくつかの異なる角度位置の間で回転させることが可能である。代替的な実施形態では、Ｄリングは、Ｄ字形のキー溝で置き換えられる。
【００１５】
ガス放出装置
図１〜２は、ガス放出装置２０、および関連付けられた容器２２を示している。容器２２は、従来のＣＯ２シリンダであってよく、前端部２４と、加圧された膨張ガスを貯蔵する内部とを備えている。膨張ガスは、加圧されたヘリウムおよびアルゴンの混合ガスであり得る。他の周知の膨張ガスを使用してもよい。容器２２の前端部２４には、ダイヤフラム２６が流体密に取り付けられている（図２を参照）。ダイヤフラム２６は、膨張ガスが作動前に容器から漏出することを防止する。
【００１６】
エンドキャップ２８は、ダイヤフラム２６を破裂させるために用いられる刺しピン３２を収容している。刺しピン３２は、通路３４内に配置されて、バネ３６で取り囲まれており、これによって、ピン３２は初期状態においてダイヤフラム２６に接触しないように保持されている。ピン３２上には、２つのＯリングがあって、燃焼ガスを膨張ガスから分離している。この特徴については、Ｍｉｌｌｅｒによる特許文献１に、より詳しく記載されている。ピン３２は、自動または手動で、バネの付勢に抗して前方に移動されることが可能である。自動作動は、プライマ、バッテリ、およびセンサ（３８、４２、４４）によって実施される。センサ４４によって海水が検出されると、プライマ３８を点火させるための回路が、バッテリ４２によって完成される。そして、これによって、刺しピン３２は、ダイヤフラム２６を破裂させて、膨張ガスを流動させる。あるいは、ユーザがカムレバー４６を手動で回転させることができ、これによって、刺しピン３２はダイヤフラム２６を破裂させる。どちらの場合においても、膨張ガスが容器から流出して、接続されている物品を膨らませる。Ｍｉｌｌｅｒによる特許文献１は、本装置により採用される自動および手動の膨張方法について更に詳しく記載しており、この文献は、その全体が本明細書に組み込まれる。
【００１７】
また、膨張用装置２０はレーダアンテナなどの強いＥＭＩ源の近傍に配置されるため、電子回路の損傷または膨張用装置が誤って作動することを防ぐために、センサをＥＭＩから保護することも必要である。従って、ハウジングは、いくつかのＥＭＩ吸収金属材で構成されてよく、それはＥＭＩ吸収箔を含んでいてもよく、あるいはＥＭＩ吸収材を含む射出成形プラスチックで構成されてもよい。適当なＥＭＩシールドは、Ｎａａｂ等による特許文献３に記載されており、その開示は、その全体が本明細書に組み込まれる。
【００１８】
エンドキャップおよびＤリング
エンドキャップ２８は、容器２２の前端部２４上に配置されており、容器２２の上端部２４上で下方に延びる下側周縁スカート４８を有している。スカート４８は、ねじによって、または圧着により、容器２２の前端部２４に取り付けることができる。理想的には、スカート４８と容器２２とは、膨張ガスを通過させないように気密に嵌合される。
【００１９】
エンドキャップ２８は、円筒状の貫通孔の開口部５２を有し、これが、Ｄリングインサート５４を回転可能に受け取る。Ｄリングインサート５４は、この装置２０を、膨張式物品のバルブステムに取り付けることを可能にする。Ｄリングは、略円筒状の外面５６を有している。周辺溝が外面５６上に形成されて、１つまたは複数のＯリングを受容するように構成されている。Ｏリングは、Ｄリング５４と円筒状開口部５２との間に空気シールを形成している。Ｄリング５４の内側開口部５８は、Ｄ字形である。このため、Ｄリング５４は、標準のシュレーダバルブ６２のＤ字形バルブステムに取り付けることができる。内側開口部５８は、他のタイプのバルブステムに対応するために、他の寸法や形状を採用することもできる。
【００２０】
本発明によれば、Ｄリング５４は、円筒状開口部５２内に回転可能に配置される。装置２０に対してＤリング５４を異なる角度方向でロックするための手段を備えている。図１および２に示す実施形態では、その手段は、４つの角度方向のうちの１つの方向でＤリング５４を位置決めするためのバネ付勢されたデテント６４を含んでいる。デテント６４は、Ｄリング５４内の対応する凹部に嵌合するバネ付勢されたボールベアリングを備えている。図示される実施形態では、Ｄリング５４は、０°、９０°、１８０°、２７０°に対応する角度位置に拘束される。これらの角度位置は、Ｄリング５４の側部に貫通して配置された４つのポート６８に対応している。他のデテント手段を同様に用いることもできる。例えば、円筒状開口部内の対応する凹部に嵌合させることが可能なタブを、Ｄリングの周囲に配置してもよい。
【００２１】
開口部５２内で回転するＤリング５６によって、装置２０は、３通りの異なる方向のうちのいずれかで、膨張式物品に固定することができる。これらの方向は、通常、装置２０の上向き、下向き、横向きに対応している。しかしながら、特定の膨張用装置のニーズに応じて、任意の数の方向を採用することができる。エンドキャップは、円筒状開口部５２と刺しピン通路３４との間に延びる内部スロット６６を備えている。Ｄリング５４内のポート６８は、ロックされる角度位置０°、９０°、１８０°、２７０°のそれぞれで、スロット６６に整合する。このようにして、Ｄリング５４がこれらの方向のうちのいずれかにロックされているときにはいつでも、ダイヤフラム２６とバルブステムとの間に延びる流路が形成される。
【００２２】
回転Ｄリング５４は、ＬＰＵ−９、ＬＰＵ−２３、ＬＰＵ−２１、ＭＫ１  Ｆｌｉｇｈｔ  Ｄｅｃｋ、ＬＰＵ−３６、ＬＰＵ−３８、さらには、標準のシュレーダバルブを備える他のあらゆる軍用救命具に適合するように配置することができる。作動の際には、Ｄリングの周囲のＯリングによって膨張圧力が維持される。
【００２３】
装置の運用
使用するときには、装置は、膨張式物品のシュレーダバルブに取り付けられる。その後、装置２０は、所望の向きまでＤリング５４の周りに回転される。装置２０が回転されるときに、Ｄリング５４は、シュレーダバルブ６２上に固定された状態に維持される。そして、装置は、４つの角度方向０°、９０°、１８０°、２７０°のいずれかでロックすることができる。これらの方向のそれぞれにおいて、Ｄリング内のポート６８が、内部スロット６６に整合して、流体経路Ｆが形成される。経路Ｆは、容器２２からダイヤフラム２６を通り、刺しピン通路３４を通り、スロット６６を通り、ポート６８を通り、バルブステム６２を通って、膨張されるべき物品の中まで延びている。ダイヤフラム２６が破裂されると、流体経路Ｆによって、膨張流体は物品を膨らませることが可能である。好ましい実施形態では、バルブステム６２とＤリング５４とは、流体密に接続される。また、Ｄリング５４の両側に、膨張ガスの漏れを防ぐためのガスケットが設けられている。
【００２４】
その後、乗組員が海水に接触すると、センサによって、バッテリ４２を充電可能にするように回路が形成される。そして、回路は、エネルギーパルスを送って、プライマ２８を始動させる。これによって、穿刺ピンすなわち刺しピン３２が前方に移動されて、ダイヤフラム２６を破裂させることにより、流体経路Ｆが形成され、そして物品が膨張される。
【００２５】
あるいは、乗組員が手動で物品を膨張させることができる。手動で操作するには、引綱（Ｌａｎｙａｒｄ）を引くと、これによってカムレバー４６が回転する。カムレバー４６が回転するときに、ドライバとの接触によって、穿刺ピン３２を前方に移動させる力が発生する。これによって、同様にダイヤフラム２６を破裂させることにより、流体経路Ｆが形成され、そして物品が膨張される。
【００２６】
代替的実施形態
本発明のいくつかの代替的実施形態を図３〜６に示している。図３〜４は、上記のようなＤリングおよびエンドキャップ（５４および２８）を備えるが、ただし通常のエアバッグ用ガス発生器で使用される実施形態７２を示している。図４のＤリング５４は、上記のＤリング５４と同様に作用する。エンドキャップ２８を保持するためのセットスクリュ９０を備えている。また、図４に示すように、Ｏリング９２によって、容器２２上でエンドキャップを封止している。さらに、点火インジケータ７０が設けられている。また、本実施形態は、自動車エアバッグを展開するのに用いられるタイプなど、通常のエアバッグ用のガス発生器で使用することが可能である。例えば、本実施形態は、ミシガン州スターリングハイツのＫｅｙ  Ｓａｆｅｔｙ  Ｓｙｓｔｅｍｓ社のＣＧＩ−１３０型インフレータ（商品名）で使用されることが好ましい。他の許容可能なガス発生器には、ユタ州オグデンのＡｕｔｏｌｉｖ  ＡＳＰ社製の市販用ＡＣＨ−２．０ｂ型インフレータ（商品名）が含まれる。他の適当なインフレータは、Ａｕｔｏｌｉｖ  ＡＳＰ社に譲渡された米国特許第５９７９９３６号に記載されている。
【００２７】
手動でインフレータ７２を作動させるために、カムレバー４６を回転させると、これによって、穿刺ピン３２がダイヤフラム２６を貫通する。その後、ガスは、スロット通路６６を通って流出する。スロット６６は、ガスの流れを遅くし、ガスを冷却するように作用する。その後、ガスは、整合されたＤリングポート６８を通って、シュレーダバルブのステム６２に進入する。留意すべきことは、穿刺ピンをとどめておくためのバネがないことである。しかし、穿刺ピン上のＯリングを保持するボア内に、早すぎる下方への移動を抑制するためのステップがある。
【００２８】
次に、インフレータ７２の自動作動について説明する。装置７２が水に浸漬されると、センサ４４が始動される。そして、これによって回路が閉鎖されることにより、１２Ｖバッテリが回路内のコンデンサを充電する。その電圧が、コネクタを介してプライマまたはイニシエータ３８に放電される。イニシエータ３８が点火すると、燃焼ガスが下方に移動して、ダイヤフラム２６を破裂させる。これによって、容器２２からヘリウムおよびアルゴンガスが放出される。このガスは、エンドキャップ（またはマニホールド）内に流出して、エンドキャップのオリフィスまたは通路６６を通って流出する。その後、ガスは、Ｄリング５４内の整合されたポート６８を通って、シュレーダバルブ６２に進入する。
【００２９】
図５および６は、回転Ｄリング５４が、取り外し可能なＤ字形キー溝アセンブリ７４で置き換えられた代替的実施形態を示している。キー溝アセンブリ７４は、Ｄ字形フィッティング７６と、Ｄ字形ワッシャ７８とを備えている。Ｄ字形フィッティング７６は、好ましくは、ステンレス鋼またはアルミニウムで形成される。Ｄ字形ワッシャ７８は、好ましくは、弾性エラストマ材で形成される。キー溝アセンブリ７４の両要素は、矩形の外周と、標準のシュレーダバルブ６２のプロファイルに適合するＤ字形の内周とを有している。
【００３０】
キー溝アセンブリ７４は、エンドキャップ２８内の対応する矩形アパチャ８２内に取り外し可能に配置されている。キー溝アセンブリ７４は、４つの異なる方向のいずれかでアパチャ８２に挿入することができる。これらの方向は、互いに９０°の角度で配置されている。凹部内でキー溝アセンブリ７４の方向を変えることによって、ガス膨張用装置２０とシュレーダバルブ６２との相対位置を変更することができる。これにより、装置の方向を、膨張される物品に対して設定し直すことが可能である。図５は、ＣＯ２タイプのインフレータとの接続に使用するエンドキャップの内部構成要素を示している。しかしながら、キー溝アセンブリ７４を、上記のように標準の自動車用インフレータに接続して使用してもよい。
【００３１】
図６は、凹部８２内に配置されたキー溝アセンブリ７４の断面図である。図示のように、アセンブリ７４は、さらに、上部および下部のワッシャ（８４および８６）と、エンドキャップ８８とを備えてよい。即ち、弾性の上部ワッシャ８４は、Ｄ字形フィッティング７６とＤ字形ワッシャ７８の上に取り付けられる。また、弾性の下部ワッシャ８６は、シュレーダバルブ開口部の基部に配置される。シュレーダバルブ６２の端部は、ネジ式エンドキャップ８８に適合するように構成されたネジ部分を有している。バルブの長さに沿って流体ポートが設けられており、これによって、キャップ８８が固定された後でも空気が流動することが可能である。エンドキャップ８８を締め付けることにより、下部ワッシャ、Ｄ字形ワッシャ、Ｄ字形フィッティング、および上部ワッシャによって、シュレーダバルブの上部および下部で流体密シールが形成される。このようにして、シュレーダバルブ６２のステムの周りの環状空間は、膨張時に加圧状態になることが可能である。
【００３２】
本開示は、特許請求の範囲に含まれる内容、ならびに上記明細書の内容を含むものである。本発明について、その好ましい形態で、詳細に説明したが、当然のことながら、好ましい形態についての本開示は、単なる例にすぎず、構成の細部および部品の組み合わせや配置において、本発明の趣旨および権利範囲から逸脱することなく、様々な変更を採用することができる。
【図１】
2013538330.tif 000003
【図２】
2013538330.tif 000004
【図３】
2013538330.tif 000005
【図４】
2013538330.tif 000006
【図５】
2013538330.tif 000007
【図６】
2013538330.tif 000008
【国際調査報告】
2013538330.tif 000009